(57)【特許請求の範囲】
【請求項１】
所定バイト数のパケット形式で、かつ、前記パケット単位でパケットの伝送された時間を示す第1の周期を持つ第1の時間情報が付加されたディジタル信号に、制御信号を付加してブロック形式とし、記録媒体上に記録するディジタル信号記録装置において、
基準信号を発生する基準信号発生手段と、
基準信号を元に上記第1の周期とは異なる第2の周期を持つ第2の時間情報を発生する時間情報発生手段と、
入力されたディジタル信号にあらかじめ付加されていた第1の時間情報を削除し、該時間情報発生手段によって発生した第2の時間情報を付加する時間情報付加手段と、
上記ディジタル信号から上記ブロック形式の記録信号を生成する記録信号処理手段と、
記録媒体に該記録信号を記録する記録手段とを備えることを特徴とするディジタル信号記録装置。
【請求項２】
複数の該基準信号発生手段と、
該基準信号発生手段から一つを選択する選択手段とを備えることを特徴とした請求項１に記載のディジタル信号記録装置。
【請求項３】
該基準信号発生手段は制御手段により制御可能であることを特徴とした請求項１に記載のディジタル信号記録装置。
【請求項４】
複数の該時間情報発生手段と、
該時間情報発生手段から一つを選択する選択手段とを備えることを特徴とした請求項１に記載のディジタル信号記録装置。
【請求項５】
該時間情報発生手段は制御手段により制御可能であることを特徴とした請求項１に記載のディジタル信号記録装置。
【請求項６】
該基準信号発生手段は、
入力されたディジタル信号に付加されている第1の時間情報を検出する時間情報検出手段と、
該時間情報の生成に使用されるカウンタと同じ分周比を持つカウンタと、
上記時間情報検出手段により検出された第1の時間情報と上記カウンタのカウント値とを比較する比較手段と、
該比較手段の比較結果により発振周波数の制御される発振手段からなることを特徴とする請求項１に記載のディジタル信号記録装置。
【請求項７】
所定バイト数のパケット形式で、かつ、前記パケット単位でパケットの伝送された時間を示す第２の周期を持つ第２の時間情報が付加されたディジタル信号を記録媒体から再生するディジタル信号再生装置において、
記録媒体から信号を再生する再生手段と、
記録媒体から再生された信号のパケットに付加されている上記第2の時間情報を上記第2の周期とは異なる第3の周期を持つ第3の時間情報に変換する時間情報変換手段とを備え、
該時間情報変換手段は、制御手段により制御可能であり、
データを出力する出力端子に接続されている機器を検出する検出手段を備え、
該検出手段によって検出した機器に応じて上記時間情報変換手段を制御し、時間情報の形式を変化させることを特徴とするディジタル信号再生装置。
【請求項８】
所定バイト数のパケット形式で、かつ、前記パケット単位でパケットの伝送された時間を示す第２の周期を持つ第２の時間情報が付加されたディジタル信号を記録媒体から再生するディジタル信号再生装置において、
記録媒体から信号を再生する再生手段と、
記録媒体から再生された信号のパケットに付加されている上記第2の時間情報を上記第2の周期とは異なる第3の周期を持つ第3の時間情報に変換する時間情報変換手段とを備え、
複数の該時間情報変換手段と、
該時間情報変換手段から一つを選択する選択手段と、
データを出力する出力端子に接続されている機器を検出する検出手段を備え、
該検出手段によって検出した機器に応じて選択手段を制御し、各時間情報変換手段の出力から一つを選択して出力することを特徴するディジタル信号再生装置。
【請求項９】
所定バイト数のパケット形式で、かつ、前記パケット単位でパケットの伝送された時間を示す第２の周期を持つ第２の時間情報が付加されたディジタル信号を記録媒体から再生するディジタル信号再生装置において、
記録媒体から信号を再生する再生手段と、
記録媒体から再生された信号のパケットに付加されている上記第2の時間情報を上記第2の周期とは異なる第3の周期を持つ第3の時間情報に変換する時間情報変換手段とを備え、
複数の該時間情報変換手段と、
データを出力する複数の出力端子を備え、
記録媒体から再生されたパケットのデータの時間情報の形式を各該時間情報変換手段により変換し、
それぞれの出力端子に出力することを特徴とするディジタル信号再生装置。
【請求項１０】
所定バイト数のパケット形式で、かつ、前記パケット単位でパケットの伝送された時間を示す第2の周期を持つ第2の時間情報が付加されたディジタル信号を記録媒体から再生するディジタル信号再生装置において、
クロックを発生する発振手段と、
該発振手段により発生したクロックを元に上記第2の周期とは異なる第3の周期を持つ第3の時間情報を生成する時間情報発生手段と、
記録媒体から信号を再生する再生手段と、
記録媒体から再生された信号のパケットに付加されている第2の時間情報を削除し、上記時間情報発生手段により発生した第3の時間情報をパケットに付加する時間情報変換手段とを備えることを特徴とするディジタル信号再生装置。
【発明の詳細な説明】
【０００１】
【発明の属する技術分野】
本発明は、ディジタル映像信号を記録再生するディジタル信号記録再生装置に関し、特にディジタル圧縮映像信号を記録する記録再生装置に関するものである。
【０００２】
【従来の技術】
近年、放送のディジタル化が進められている。
【０００３】
ディジタル画像圧縮技術を用いることで、従来一つの放送しか伝送できなかった周波数帯域で複数の番組を同時に伝送することができるようになった。ディジタル画像圧縮では伝送するパケットのデータ形式が決められており、例えば１８８バイトのパケットとしてデータが伝送される。
【０００４】
一方、ディジタル放送を記録するディジタルＶＴＲの規格化が進められている。ディジタルＶＴＲを使えば、番組をディジタルのまま記録再生することができ、高画質で保存することができる。
【０００５】
例えば、回転磁気ヘッドを用いて磁気テープ上にディジタル圧縮映像信号を記録するディジタル信号記録再生装置が、特開平５−１７４４９６号に記載されている。
【０００６】
【発明が解決しようとする課題】
上記ディジタルＶＴＲでは、磁気テープ上の記録フォーマットは規格で決められているが、記録するデータの内容についてまでは規定されていない。
【０００７】
ディジタル放送を受信するディジタル放送受信装置は放送局ごとに異なっており、ＶＴＲに接続するインターフェースも何種類か存在している。同じディジタル画像圧縮方式を用いて画像圧縮を行っていても、時間情報などの付加情報の形式が異なっている場合がある。
【０００８】
時間情報は、パケット形式のディジタル信号を転送あるいは蓄積などを行う際に、そのパケットの送られる時間間隔を示したものである。この時間情報を付加することによって、転送中に遅延が生じたりしても正しいパケット間隔を知ることができる。
【０００９】
ところで、ディジタル放送受信装置から入力されるディジタル圧縮映像信号のパケットの転送間隔は一定ではなく、また時間的に隙間が開いている。この信号をそのまま記録すると、記録媒体上にデータを記録しない領域が発生してしまう。記録媒体の記録容量を高め、無駄が生じないようにするためにはパケットを詰めて記録することが望ましい。しかし、パケットを詰めて記録した場合には、それぞれのパケットがどれだけ離れて転送されてきたかを記録しておかないと、記録時と同じタイミングでデータを再生時に出力することができない。また、パケットを詰めずに記録した場合でも、所定の記録領域にデータを記録するために、入力されたパケットの位置に時間的なずれが生じ、記録時と全く同じタイミングで再生データを出力することは困難である。
【００１０】
ＶＴＲのような記録再生装置にパケット形式のデータを記録し再生する場合には、あらかじめパケットのデータとともに時間情報を付加して記録し、再生時にその時間情報を参照しながらパケットの出力タイミングを調整することで、記録時に入力された時と同じタイミングでパケットデータを出力することができる。
【００１１】
以上のように、記録再生装置にパケットデータを記録し再生を行う場合には、時間情報の付加が必須である。
【００１２】
実際のインターフェースとして、例えば、１８８バイトのディジタル圧縮信号のパケットデータをそのまま転送するインターフェースが考えられている。この場合、該入力信号には時間情報が含まれていないので、ＶＴＲ側でパケットの入力タイミングに合わせた時間情報を付加し、記録する。
【００１３】
ＶＴＲでは記録トラック位置に同期した時間情報を記録することが望ましい。例えば、基準信号を２７ＭＨｚとし、記録トラック上の位置を１８ビット、記録トラック位置を８ビットで表し、計２６ビットの時間情報としてこれをパケットに付加して記録を行う。これにより再生されたパケットデータが、記録トラック上のどこに位置するかが分かるので、再生信号処理、可変速再生処理などが容易になる。
【００１４】
一方、１８８バイトのディジタル圧縮映像信号に２７ＭＨｚの基準クロックで発生した２０ビットの時間情報を付加してデータ転送を行うインターフェースが考えられている。このインターフェースを用いてデータが送られてきた場合、あらかじめ入力パケットに時間情報が付加されているので、この時間情報を含めて記録手段に記録を行っておけば、再生時にその時間情報を元にパケットの出力タイミングを調整することができる。また、あらかじめ付加されている時間情報を使用するので、ＶＴＲ側で時間情報を発生させる必要もなく、時間情報に誤差が生じることもない。
【００１５】
しかし、上記のように異なったインターフェースを持つ機器で記録を行った場合、時間情報の形式が異なるため、テープ上に記録されるデータの形式も異なってしまい、テープの互換性が失われる危険性がある。
【００１６】
本発明の目的は、異なったディジタル放送受信装置を用いて記録した記録媒体に互換性を持たせ、あるいは異なったディジタル放送受信装置を用いて記録した記録媒体でも再生を可能にすることにある。
【００１７】
【課題を解決するための手段】
上記目的を達成するため本発明では、所定バイト数のパケット形式で、かつ、前記パケット単位でパケットの伝送された時間を示す第1の周期を持つ第1の時間情報が付加されたディジタル信号に、制御信号を付加してブロック形式とし、記録媒体上に記録するディジタル信号記録装置において、基準信号を発生する基準信号発生手段と、基準信号を元に上記第1の周期とは異なる第2の周期を持つ第2の時間情報を発生する時間情報発生手段と、入力されたディジタル信号にあらかじめ付加されていた第1の時間情報を削除し、該時間情報発生手段によって発生した第2の時間情報を付加する時間情報付加手段と、上記ディジタル信号から上記ブロック形式の記録信号を生成する記録信号処理手段と、記録媒体に該記録信号を記録する記録手段とを備える。
【００１８】
また上記目的を達成するため、所定バイト数のパケット形式で、かつ、前記パケット単位でパケットの伝送された時間を示す時間情報が付加されたディジタル信号を記録媒体から再生するディジタル信号再生装置において、記録媒体から信号を再生する再生手段と、記録媒体から再生された信号のパケットに付加されている時間情報を所定の時間情報に変換する時間情報変換手段とを備える。
【００１９】
【発明の実施の形態】
以下、本発明の実施例を図面を用いて説明する。
【００２０】
図１は、本発明のディジタル信号記録再生装置の構成例である。図１は記録再生兼用の装置であるが、もちろん、記録と再生が独立していても同様である。
【００２１】
図１中、１００はディジタル映像信号入力端子、１０１は入力回路、１０２は制御回路、１０３は基準信号発生回路、１０４は時間情報付加回路、１０５は記録処理回路、１０６は切り替え回路、１０７は時間情報発生回路、１０８はサーボ回路、１０９は回転磁気ヘッド、１１０は発振回路、１１１は出力回路、１１２は時間情報変換回路、１１３は再生処理回路、１１４は出力端子、１１５はキャプスタン、１１６は磁気テープである。
【００２２】
記録時には、ディジタル放送受信装置で受信されたディジタル放送のパケット形式の記録データが入力端子１００を通して入力回路１０１に任意の時間間隔で入力される。入力端子１００より入力されたパケットデータは、入力回路１０１で所定のタイミングに変更され、制御回路１０２・基準信号発生回路１０３および時間情報付加回路１０４に入力される。制御回路１０２では、パケットデータに付加されている情報あるいはパケットデータとは別に送られてきた情報によりパケットデータの種類、最大伝送レート等を検出し、検出結果によって記録モードを判断し、記録信号処理回路１０５及びサーボ回路１０８の動作モードを設定する。また、基準信号発生回路１０３は入力回路１０１の出力信号に同期した基準信号を発生する。時間情報付加回路１０４は、入力回路１０１の出力したパケットデータに含まれる時間情報を所定のフォーマットに変換して記録処理回路に出力する。記録信号処理回路１０５では、制御回路１０２で判断された記録モードに応じて、１トラックに記録するパケット数、記録に使用した時間情報の形式などにしたがって、誤り訂正符号、ＩＤ情報、サブコード等の生成を行い、記録信号を生成して回転磁気ヘッド１０９により磁気テープ１１６に記録する。
【００２３】
再生時には、まず任意の再生モードで再生動作を行い、再生信号処理回路１１３でＩＤ情報を検出する。
【００２４】
そして、制御回路１０２でどのモードで記録されたか、時間情報の形式はどうかなどを判断し、再生信号処理回路１１３及びサーボ回路１０８の動作モードなどを再設定して再生を行う。再生信号処理回路１１３では、回転磁気ヘッド１０９より再生された再生信号より、同期信号の検出、誤り検出訂正等を行い、データ、サブコード等を再生し、再生信号に付加されている時間情報と、時間情報発生回路１０７の発生する時間情報を比較し、所定のタイミングでデータを時間情報変換回路１１２に出力する。時間情報変換回路１１２は、入力された再生信号の時間情報を、出力機器に合わせた時間情報に変換し、出力回路１１１にデータを出力する。出力回路１１１は、時間情報の変換されたデータを、所定のタイミングで出力端子１１４に出力する。
【００２５】
記録時には、入力端子１００より入力された記録データに付加されている時間情報を基準として基準信号発生回路１０３により記録装置の動作タイミングを制御し、再生時には、発振回路１１０により発振されたクロックを動作基準として動作する。これは制御回路１０２が切り替え回路１０６を制御することによって行う。
【００２６】
図２は、１トラックの記録パターンである。３は音声信号等の付加情報記録領域、７はディジタル圧縮信号を記録するデータ記録領域、１２は時間情報、プログラム情報等のサブコードを記録するサブコード記録領域、２、６及び１１はそれぞれの記録領域のプリアンブル、４、８及び１３はそれぞれの記録領域のポストアンブル、５及び９はそれぞれの記録領域の間のギャップ、１及び１４はトラック端のマージンである。このように、各記録領域にポストアンブル、プリアンブル及びギャップを設けておくことにより、それぞれの領域を独立にアフレコを行うことができる。もちろん、記録領域３及び７にはディジタル圧縮映像信号、音声信号以外のディジタル信号を記録してもよい。また、領域７にディジタル圧縮映像信号と共にディジタル圧縮音声信号を記録してもよい。
【００２７】
図３は各領域のブロック構成である。図２（ａ）は、付加情報記録領域３及びデータ記録領域７のブロック構成である。２０は同期信号、２１はＩＤ情報、２２はデータ、２３は第１の誤り検出訂正のためのパリティ（Ｃ１パリティ）である。例えば、同期信号２０は２バイト、ＩＤ情報２１は３バイト、データ２２は９９バイト、パリティ２３は８バイトで構成されており、１ブロックは１１２バイトで構成されている。図２（ｂ）は、サブコード記録領域１２のブロック構成である。サブコード記録領域のブロックでは、同期信号２０及びＩＤ情報２１は図２（ａ）と同一にし、データ２２は１９バイト、パリティ２３は４バイトで構成されており、１ブロックは図２（ａ）のブロックの１／４の２８バイトで構成されている。このように、１ブロックのバイト数も整数比となるようにし、さらに全ての領域で同期信号１１及びＩＤ情報１２の構成を同一とすることにより、記録時のブロックの生成及び記録時の同期信号、ＩＤ情報の検出等の処理を同一の回路で処理することができる。
【００２８】
図４は、ＩＤ情報２１の構成である。３１はシーケンス番号、３２はトラックアドレス、３３は１トラック内のブロックアドレス、３５はシーケンス番号３１・トラックアドレス３２及びブロックアドレス３３の誤りを検出するためのパリティである。ブロックアドレス３３は、各記録領域でのブロックの識別を行うためのアドレスである。例えば、データ記録領域７では０〜３３５、付加情報記録領域３では０〜１３、サブコード記録領域１２では０〜１５とする。トラックアドレス３２は、トラックの識別を行うためのアドレスであり、例えば、１トラックまたは２トラック単位でアドレスを変化させ、０〜５または０〜２とすることにより、６トラックを識別することができる。シーケンス番号３１は、例えば、トラックアドレス３２で識別する６トラック単位で変化させ、０〜１１とすることにより、７２トラックを識別することができる。トラックアドレスは、後述する第２の誤り訂正符号の周期、シーケンス番号は、後述する可変速再生用データの記録周期と同期させておけば、記録時の処理及び再生時の識別を容易にすることができる。
【００２９】
図５は、データ記録領域７における１トラックのデータの構成である。なお、同期信号２０およびＩＤ情報２１は省略している。データ記録領域７は、例えば、３３６ブロックで構成されており、最初の３０６ブロックにデータ４１を、次の３０ブロックに第２の誤り訂正符号（Ｃ２パリティ）４３を記録する。
【００３０】
Ｃ２パリティ４３は、例えば、６トラック単位で、３０６ブロック×６トラックのデータを１８分割し、それぞれの１０２ブロックに１０ブロックのＣ２パリティを付加する。誤り訂正符号は、例えばリードソロモン符号を用いればよい。
【００３１】
各ブロック９９バイトのデータは、３バイトのヘッダ４４と９６バイトのデータ４１により構成されている。図６は、データ記録領域７のヘッダ４４の構成である。ヘッダ４４は、フォーマット情報３１、付加情報３２及びブロック情報３３により構成される。
【００３２】
図７はフォーマット情報３１の構成である。フォーマット情報３１は、記録フォーマットに関する情報であり、例えば１２ブロックの６バイトで１つの情報を構成している。そして、この情報を複数回多重記録することにより、再生時の検出能力を向上させている。６ブロックのデータは、例えば、１ブロックのサイズ、付加情報記録領域３の有無、記録するプログラムの数、回転ヘッドの回転数、誤り訂正符号の方式、記録モード、付加した時間情報の形式、記録するデータの形式等よりなっている。
【００３３】
記録するデータの形式は、例えば記録するパケットのパケット長を規定する。１トラックに記録するデータの量をパケット単位で制御し、記録した数を記録しておくことにより、任意の伝送レートに対応することができる。なお、制御は１トラックあるいは複数トラック毎に行えばよい。また、パケット長を記録しておくことにより、任意の長さのパケットに対応することができる。さらに、記録時に付加した時間情報に関する識別信号を記録しておくことにより、複数の時間情報の記録方式に対応でき、再生時に時間情報の変換が必要かどうかを判断することができる。
【００３４】
再生時には、フォーマット情報３１を検出して記録モード・時間情報形式等を識別し、再生処理回路および時間情報変換回路１１２をそのモードに設定して再生を行えばよい。
【００３５】
また、フォーマット情報３１の可変速再生用データの記録情報を記録しておいてもよい。図８のように、可変速再生時のヘッドの奇跡に対応した所定の位置に可変速再生専用のデータ５０を記録しておくことにより、可変速再生時にも良好な再生画像を再生することができる。そこで、このデータが記録されているかどうか、あるいはどのような種類のデータが記録されているかを記録しておき、再生時にそれを識別することにより、可変速再生への対応を容易にすることができる。
【００３６】
図９は、付加情報３２の構成である。付加情報３２は、たとえば、６ブロックの６バイトで一つの情報を構成し、最初の１バイトが情報の種類を表すアイテムコード、残りの５バイトをデータとすることにより、いろいろな種類のデータを記録することができる。例えば、記録時間等の情報や記録信号の種類等を記録しておく。ここにフォーマット情報３１に関連して可変速再生データに関する明細な情報を記録しておいてもよい。
【００３７】
図１０は、１８８バイトのパケット形式で伝送されたディジタル圧縮映像信号をデータ記録領域４１に記録する時のブロックの構成例である。この場合には、４バイトの時間情報２５を付加して１９２バイトとし、２ブロックに１パケットを記録する。１パケットのデータを２ブロック、すなわち、Ｃ１の１符号系列に対応させて記録することにより、テープ上のドロップアウト等によるバーストエラーによってブロック単位での訂正不能が発生した時に、エラーが伝送の単位であるパケットの複数個にまたがることがない。
【００３８】
図１１は、パケット７１の長さを１４０バイトとした時のブロックの構成である。この時には、２個のパケット７１を３ブロックに記録する。また、パケットが１個しかない場合には、図１２のように、２ブロックに１個のパケットを配置すればよい。すなわち、１．５ブロックに１パケットを配置し、残りの０．５ブロックはダミーデータとすればよい。
【００３９】
図１３は、図１０または図１１、図１２のパケットの他の構成例である。パケットは、例えば、３バイトの時間情報２５と、１バイトのパケットに関連した制御情報７２とを１８８バイトまたは１４０バイトのパケットデータ７１により構成される。なお、パケットデータ７１の数がこれより少ない場合、例えば１３０バイトの場合には、ダミーデータを付加して記録するか、あるいは、制御情報の領域を多くしてもよい。
【００４０】
時間情報２５は、パケットの伝送された時間の情報である。すなわち、パケット（の先頭）が伝送された時に時間情報発生回路の発生した時間情報をパケットデータと共に記録しておき、再生時にその情報を基にしてパケット間の間隔を設定することにより、伝送された時と同一の形でデータを出力することができる。図１４は、ブロック情報３３の構成である。ブロック情報３３は、ブロック単位でのデータの識別を行うための情報である。データ情報７４は、このブロックに記録されているデータの種類を識別する情報である。例えば、通常のパケットデータが記録されているブロックでは０、有効なデータが記録されていないブロックでは１、可変速再生用データが記録されているブロックでは２とすればよい。
【００４１】
ブロック番号７５は、パケットデータを２ブロックあるいは３ブロック単位で記録した時のブロックの順序を識別する情報である。例えば、２ブロック単位で記録する場合には０〜１、３ブロック単位で記録する場合には０〜２とする。さらに、これらの情報により記録領域の終わりが識別できるようにしておけば、再生時の処理が容易となる。
【００４２】
図１５は、図１１または図１２の配置でパケットを記録したときのブロック情報３３の記録例である。５１は通常のパケットデータを記録したブロック、５２は可変速再生用データを記録したブロック、５３は未使用領域である。このように、可変速再生用データ以外は前詰で記録することにより、任意の間隔で入力されたパケットデータを効率よく記録することができる。なお、間に無効なブロックが生じた場合には、そのブロックのデータ情報７４を１としておけばよい。未使用領域５３では、データ情報７４を１とすると共に、ブロック番号７５を３としておくことによりデータの終わりが検出できるようにしている。
【００４３】
再生時には、ブロック単位でデータ情報７４を識別し、０以外の場合にはそのブロックをとばして出力すればよい。これにより、可変速再生用データや無効データがどこに記録されていても再生時の互換を保つことができる。また、それ以外の特殊データが記録されている場合でも、そのブロックに異なるデータ情報を割り当てておけば問題ない。さらに、データ情報７４が１でかつブロック番号が３であるブロックを識別することにより、記録領域の終わりを検出できる。これにより、不要な領域をアクセスする必要がないため、再生時の負担を軽減することができる。
【００４４】
図１６は、前詰にしない場合、すなわち、記録するパケットを入力された位置に対応して記録する場合の例である。この場合には、未使用領域がトラック全体に分散して生じるため、特にデータの終わりを識別する必要はない。
【００４５】
図１７は、入力回路１０１の一実施例を示すブロック図である。１００は外部のディジタル放送受信装置からディジタル映像信号が入力されるディジタル映像信号入力端子、１７０１は入力されたディジタル映像信号からデータパケットを検出するパケット検出回路、１７０２は入力されたディジタル映像信号を一時的に記憶するバッファメモリ、１７０３は出力端子である。
【００４６】
図１８は、基準信号発生回路１０３の一実施例を示すブロック図である。１８０１は入力回路１０１からデータが入力される入力端子、１８０２は入力信号から時間情報を検出する時間情報検出回路、１８０３は時間情報検出回路１８０２の出力とカウンタ１８０４のカウント値を比較する比較回路、１８０４は電圧制御発振器１８０５の出力を数えるカウンタ、１８０５は電圧制御発振器（ＶＣＯ）、１８０６は出力端子である。
【００４７】
図１９は、時間情報発生回路１０７の一実施例として２６ビットの時間情報を発生する場合のブロック図である。１９０１は切り替え回路１０６で選択された基準信号が入力される入力端子、１９０２は入力信号を計数する１８ビットのカウンタ、１９０３はカウンタ１９０２の桁上がりを計数する８ビットのカウンタ、１９０４はカウンタ１９０２とカウンタ１９０３のカウント値を合わせて２６ビットの時間情報として出力する出力端子、１９０５はフレーム周波数の基準信号を出力する出力端子である。
【００４８】
図２０は、入力されたディジタル映像信号に付加されている時間情報と、時間情報発生回路１０７で発生する時間情報との関係例を表したグラフである。２００１は入力されたディジタル映像信号に付加されている時間情報の値を表し、２００２は時間情報発生回路１０７で発生する時間情報の下位１８ビットを表すグラフであり、２００３は時間情報の上位８ビットの値を表し、２００４は磁気テープ上のトラック番号を表している。入力されたディジタル映像信号に付加されている時間情報は本実施例では２０ビットの連続値としているので、該時間情報は０から１０４８５７５まで増加し、０に戻る。一方、時間情報発生回路の発生する時間情報は、回転磁気ヘッドの回転に同期しており、１トラックの半分の周期である。該時間情報は１８ビットであり、０から２２５２２４まで増加し、０に戻る。このとき、上位８ビットのカウンタ１９０３のカウント値は１だけ増加する。これにより、トラック周期に同期した２６ビットの時間情報が発生する。図２１は、記録処理回路１０５の構成である。２１０１は時間情報付加回路で時間情報の付加されたディジタル映像信号のパケットデータが入力される入力端子、２１０２はデータを記憶しておく記憶回路、２１０３は誤り訂正符号を付加する誤り訂正符号付加回路、２１０４は記憶回路２１０２、誤り訂正符号付加回路２１０３及び記録回路２１０６の制御を行うデータ制御回路、２１０６は記憶回路２１０２に記憶されているデータに所定の変調をかけ、回転磁気ヘッド１０９で記録可能な信号に変換する記録回路、２１０７は記録回路２１０６で所定の変調が行われた信号が出力される出力端子である。
【００４９】
図３３は、時間情報付加回路の構成を示したブロック図である。３３０１は、時間情報発生回路１０７で発生した時間情報の入力される時間情報入力端子、３３０２は入力回路より入力されたパケットデータが入力されるデータ入力端子、３３０３は時間情報とパケットデータとを切り替える切換回路、３３０４は切換回路を制御する制御回路である。
【００５０】
以下、記録時の具体的な動作について、図１７から図２１および図３３を用いて説明する。なお、入力端子１００より入出力されるパケットの伝送レートは、時間情報を生成しているクロックの周波数より高いレートであるとしている。例えば、時間情報の基準クロックは２７ＭＨｚであり、入出力は４９．１５２Ｍｂｐｓで行われる。また、発振回路１１０で発振される記録再生装置の基準クロックと同一の周波数を使用している。後述するように、これにより記録再生の処理を容易にすることができる。
【００５１】
記録時は、図２５のようなタイミングで入力端子１００にデータ及び同期クロックが入力される。３１０は、図１３のデータである。
【００５２】
入力されたデータ及び同期クロックは、パケット検出回路１７０１に入力され、パケットの先頭の検出が行われる。パケットの先頭の検出は、パケット間のブランクを検出し、ブランクの後にデータが来たときにパケットの先頭と判断すればよい。また、このパケット検出回路１７０１で１パケットのデータ数を検出することにより、パケットの種類の判別及びパケットが正常に伝送されているかどうかの判別を行うことができる。すなわち、決められている（装置が対応している）パケット長以外の長さのパケットが検出された場合には、パケットが正常に伝送されていない、または、記録できないデータが伝送されたと判断し、この情報を制御回路１０２に送って記録を停止すればよい。
【００５３】
パケット検出回路１７０１で検出されたパケット７１は、バッファ１７０２を介して出力端子１７０３より制御回路１０２、基準信号発生回路１０３および時間情報付加回路１０４に所定のタイミングで供給される。
【００５４】
バッファ１７０２は、入力データの伝送速度の変換を行うためのものである。伝送速度が５０Ｍｂｐｓ程度と高速の場合には、そのままの速度で記憶回路２１０２に記録しようとすると、非常に高速の記憶回路を使用する必要がある。一方、前述のように、記録再生装置の平均最大記録レートは２５Ｍｂｐｓ程度であるから、記憶回路２１０２はこの最大記録レートに対応したレートに設定し、高速のバッファを介して記憶回路２１０２に記憶することにより、記憶回路の速度を低くすることができる。図２０は、バッファ１７０２の入出力のタイミングを示したものである。例えば、記憶回路２１０２の記憶レートを２７Ｍｂｐｓ（３．３７５ｂｙｔｅ／ｓｅｃ）とした場合には、バッファの入力と出力の速度比は約１：２となる。この場合、バッファの容量が７パケット程度でも、５０Ｍｂｐｓで連続した７パケット以の入力にも対応可能である。
【００５５】
入力されたディジタル映像信号には、２７ＭＨｚの基準信号でカウントした例えば２０ビットの時間情報があらかじめ付加されている。基準信号発生回路１０３内の時間情報検出回路１８０１は、入力信号のパケットの中から時間情報を検出し、比較回路１８０３に入力する。
【００５６】
一方、基準信号発生回路１０３内の電圧制御発振器（ＶＣＯ）１８０５は、ほぼ２７ＭＨｚで発振している。該電圧制御発振器１８０５の出力は、入力信号に付加されているのと同じ２０ビットのカウンタ１８０４が接続されており、上記電圧制御発振器１８０５の発生したクロック数をカウントしている。該カウント結果が比較回路１８０３に入力される。
【００５７】
比較回路１８０３は、時間情報検出回路１８０２の検出結果と、カウンタ１８０４のカウント値を比較し、比較結果を電圧制御発振器１８０５に出力する。カウンタ１８０４のカウント値が、時間情報検出回路１８０２の検出結果よりも小さい場合には、基準信号が遅れているので電圧制御発振器１８０５の制御電圧を上昇させ、発振周波数を高くする。逆にカウンタ１８０４のカウント値が、時間情報検出回路１８０２の検出結果よりも大きい場合には、基準信号が進んでいるので電圧制御発振器１８０５の制御電圧を下降させ、発振周波数を低くする。
【００５８】
以上のような制御により、基準信号発生回路１０３の発生する基準信号の周波数が、入力信号の時間情報付加に用いられている基準信号の周波数と完全に一致し、同期をとることができる。
【００５９】
なお、基準信号発生回路１０３は、上記のような電圧制御発振器を用いた方式のほかに、ディジタル信号処理による同期方式なども考えられるが、本発明は基準信号発生回路の種類によらず実現可能である。
【００６０】
記録時には、制御回路１０２が切り替え器１０６をａ側に切り替え、基準信号発生回路１０３で発生した基準信号が時間情報発生回路１０７に供給される。
【００６１】
時間情報発生回路１０７は、該基準信号を元に所定の時間情報を発生する。記録に用いる時間情報の発生の例として、記録トラックに同期した２６ビットの時間情報の例をあげる。
【００６２】
基準信号入力端子１９０１に入力された基準信号は、時間情報発生回路１０７内の下位のカウンタ１９０２で例えば２２５２２５分周される。該カウンタ１９０２は基準信号の立ち上がりごとに１づつ増加し、２２５２２４の後に０に戻る。該カウント値は時間情報の下位１８ビットを示す値となる。さらに該カウンタ１９０２が０に戻る際には、同時に上位のカウンタ１９０３が１だけ増加する。上位カウンタ１９０３は、例えば１１まで数えたのち、０に戻る。該上位カウント値が上位８ビットを示す値となる。この最大計数値は、ディジタル映像記録再生装置の記録再生モードによって異なり、制御回路１０２によって制御される。該カウント値と入力されたディジタル映像信号に付加されている時間情報の関係は図２０のようになる。上記の２つのカウンタのカウント値を合わせて２６ビットの時間情報とし、時間情報付加回路１０４および再生処理回路１１３に提供する。
【００６３】
また、上位カウンタ１９０３のカウント値のうち、下から２ビット目は２９．９７Ｈｚとなっており、映像信号のフレーム周波数に一致している。これをサーボ回路１０７の同期信号としてサーボ回路に提供する。サーボ回路１０７は、該同期信号と同期して回転磁気ヘッド１０９の回転速度および位相、磁気テープ１１６の回転速度を調整し、磁気テープ１１６上の所定のトラック位置に記録データが書かれるように制御する。回転磁気ヘッド１０９が１回転する間に２トラック分のデータが書かれ、カウント値は上位カウンタ１９０３がちょうど４カウントする。
【００６４】
上記時間情報発生回路内１０７内のカウンタ１９０２の分周比を変化させることによって、任意の時間情報を発生させることができる。もちろん、時間情報発生回路１０７の発生する時間情報のビット数や分周率、基準周波数は任意の値で構成することができるし、記録トラックの位置と必ずしも同期しなくてもよい。該時間情報発生回路は、制御回路１０２によって分周比を変化させることのできるような構成にしてもよい。
【００６５】
また、サーボ回路に入力するフレーム周波数に同期した基準信号は、時間情報発生回路とは独立した回路を設けて発生させることも可能である。
【００６６】
時間情報付加回路１０４内の制御回路３３０４は、入力されたパケットのタイミングから、入力信号中の時間情報位置を判別し、切換回路３３０３を制御して、時間情報発生回路１０７から供給される時間情報に置き換える。時間情報を置き換えた各パケットのデータは出力端子３３０５を通して記録信号処理回路１０５の入力端子２１０１に入力される。
【００６７】
記録信号処理回路１０５では、入力端子２１０１に入力された上記パケットデータを記憶回路２１０２に、記録の１トラックに相当する期間に入力されたパケットを１トラックに対応させて記憶する。また、この時にブロック情報３３等を付加する。ダミーデータを記録する位置には、固定データ、例えば、０データを記憶するようにしておけばよい。記憶回路２１０２に記憶されたデータは、誤り訂正符号付加回路２１０３で誤り訂正符号を付加した後に、記録回路２１０６で同期信号２０等の付加を行い、図２の記録信号を生成し、出力端子２１０７より回転磁気ヘッド１０９に出力して磁気テープ１１７に記録する。
【００６８】
パケットに付加して送られてきた制御信号等は、制御回路１０２に出力され、パケットの種類の判別、記録モードの決定等が行われる。
【００６９】
以上の処理により、記録処理タイミング及び回転ヘッド１０９の回転数を時間情報２５に同期させることが可能となる。同期させて記録することにより、再生時には、発振回路１１０で発生した記録再生装置の基準クロックにより再生及びパケット出力の制御を行えばよい。すなわち、再生時に特別な同期化の処理を行わなくても、再生されるパケットの数と出力するパケットの数が一致する。また、記録される時間情報は記録処理タイミングおよび回転磁気ヘッドの回転に対応したものとなる。
【００７０】
図１に示した記録再生装置では、入力端子１００に接続されるディジタル放送受信装置は一種類のみとしたが、例えば図３７のように、基準信号発生回路を複数備えることにより２種類以上の異なったディジタル放送受信装置からの入力信号を記録することが可能となる。
【００７１】
図３７は、複数の基準信号発生回路を有するディジタル信号記録装置のブロック図である。図３７中、１０３ａおよび１０３ｂは異なったディジタル入力信号から基準信号を発生する基準信号発生回路、３７０１は切換回路であり、その他の記号は図１と同じである。
【００７２】
入力回路１０１の出力は基準信号発生回路１０３ａおよび１０３ｂに入力される。１０３ａは例えば基準信号２７ＭＨｚで作成された２０ビットの時間情報に対応し、この時間情報が入力された場合のみ基準信号を発生することができる。また、１０３ｂは、時間情報を含まないパケットデータに対応し、そのデータの転送クロックを元に基準信号を発生することができるものである。
【００７３】
一方、入力端子１００に入力されたディジタルデータは、入力回路１０１を通して制御回路１０２に入力される。制御回路１０２は、入力されたディジタルデータ内の制御信号から該ディジタル信号に付加されている時間情報の形式を識別する。制御回路１０２は、入力されたディジタル信号が１０３ａ、１０３ｂどちらの基準信号発生回路に対応した形式であるかを識別し、この結果を元に切換回路３７０１を制御する。
【００７４】
これにより、入力されるディジタル信号の形式が複数存在しても、正しい基準信号を発生することができ、記録再生を行うことができる。
【００７５】
該ディジタル信号記録装置では、基準信号発生回路を複数用意して切換回路により、発生する基準信号を選択していたが、基準信号発生回路内のカウンタの分周率などを外部から設定可能とすることで一つの基準信号発生回路を共用することもできる。
【００７６】
図３８は、複数の時間情報発生回路を有するディジタル信号記録装置のブロック図である。図３８中、１０７ａおよび１０７ｂはそれぞれ異なった時間情報を発生する時間情報発生回路であり、３８０１は該時間情報発生回路の出力を選択する選択回路である。
【００７７】
入力端子１００に入力されたディジタル信号は、入力回路１０１を通して基準信号発生回路に入力される。該基準信号発生回路で発生した基準信号は、時間情報発生回路１０７ａおよび１０７ｂに入力される。時間情報発生回路１０７ａは、例えば磁気テープ上のトラック周期に同期した２６ビットの時間情報を発生する。具体的には図１で説明した時間情報と同じものである。また、時間情報発生回路１０７ｂは、トラック周期とは独立な２０ビットの時間情報を発生する。上記２つの時間情報発生回路１０７ａおよび１０７ｂで発生した時間情報は、切換回路３８０１によってどちらか一方が選択される。選択された時間情報は時間情報付加回路１０４に入力され、パケットデータに付加されて磁気テープ上に記録される。
【００７８】
該ディジタル信号記録装置では、切換回路によって磁気テープ上に記録される時間情報の形式を選択することができるので、磁気テープの互換性を高めることができる。
【００７９】
図３８に示したディジタル信号記録装置の例では、時間情報発生回路を複数備え、それぞれの時間情報発生回路の出力を切換回路によって切り替えて付加していたが、切換回路を時間情報付加回路に含めることももちろん可能である。また、例えば時間情報発生回路内のカウンタのビット数や分周率などを外部から設定可能とすれば、一つの時間情報発生回路で兼用することができる。
【００８０】
図３９に基準信号発生回路および時間情報発生回路を制御回路によりそれぞれ設定可能なように構成したディジタル信号記録装置のブロック図を示す。図３９中、１０３は外部から制御可能な基準信号発生回路であり、１０７は外部から制御可能な時間情報発生回路であり、他の符号は図１と同じである。
【００８１】
入力端子１００に入力されたディジタル信号は、入力回路を通して制御回路１０２に入力される。制御回路１０２は、入力されたディジタル信号に含まれる制御信号などから、該ディジタル信号に含まれる時間情報の形式を識別し、そのビット数や周期などの情報を元に基準信号発生回路に所定のパラメータをセットする。基準信号発生回路１０３は、入力されたディジタル信号から該パラメータにしたがって基準信号を発生する。該基準信号は時間情報発生回路１０７に入力される。
【００８２】
一方、制御回路１０２は利用者が希望する時間情報を付加して磁気テープに記録するために、時間情報発生回路を制御する。時間情報発生回路１０７は、基準信号発生回路１０３の発生した基準信号を元に、制御回路によって設定された形式の時間情報を発生し、時間情報付加回路１０４に提供する。また、サーボ回路に所定の基準信号を与える。
【００８３】
時間情報付加回路１０４は、入力されたディジタル信号のパケットデータの所定の位置に、時間情報発生回路１０７が発生した時間情報を付加する。時間情報の付加されたパケットデータは、記録処理回路にて所定の信号処理がなされた後、磁気記録ヘッドを用いて磁気テープ上の所定のトラックに記録される。
【００８４】
なお、上記実施例では入力端子は一つしか用意されていなかったが、これを複数用意することで、同時に複数のディジタル放送受信装置に接続することもできる。この場合、利用者は必要に応じて入力を切り換えて任意のディジタル放送受信装置で受信した番組を記録することができる。
【００８５】
図２２は再生処理回路の一実施例を示すブロック図である。２２０１は回転磁気ヘッドにより再生された信号が入力される再生信号入力端子、２２０２は再生信号の検出を行う再生回路、２２０３は時間情報が入力される入力端子、２２０４は再生回路・誤り訂正回路および記憶回路を制御するデータ制御回路、２２０５は誤り訂正を行う誤り訂正回路、２２０６はデータを記憶しておく記憶回路、２２０７はデータ出力端子である。
【００８６】
なお、再生処理回路１１３と記録処理回路１０５は構成も似通っており、同時に使用されることはないので兼用とし、制御回路１０２により動作を切り替えて使用することもできる。
【００８７】
図２３は、上記時間情報変換回路の実施例を示したブロック図である。２３０１は基準信号が入力される基準信号入力端子、２３０２は再生信号処理回路１１３から出力されたパケットデータを入力する入力端子、２３０３は上記基準信号を元に時間情報を発生する時間情報発生回路、２３０４は該時間情報発生回路により発生した時間情報とパケットデータとを切り換える切換回路、２３０５は切換回路を制御する制御回路、２３０６はパケットデータを出力する出力端子である。
図２４は出力回路の一実施例を示すブロック図である。２４０１は時間情報変換回路１１２の出力が入力される入力端子、２４０２は入力パケットを一時的に記憶するバッファメモリ、２４０３はバッファメモリからの読み出しを制御する読み出し制御回路、２４０４は発振回路、１１５は出力端子である。
【００８８】
つぎに図２２から図２４を用いて再生時の動作を説明する。
【００８９】
再生時には、まず任意の再生モードで再生動作を行い、再生信号処理回路１１３でＩＤ情報を検出する。制御回路１０２は、該ＩＤ情報を元に磁気テープ上の記録モードは何か、付加されている時間情報の種類は何かなどを判断し、再生信号処理回路１１３およびサーボ回路１０８などの動作モードの再設定を行う。
【００９０】
制御回路１０２によって切り替え器１０６がｂに切り替えられ、発振回路１１０で発生した信号が基準信号として時間情報発生回路１０７に供給される。時間情報発生回路１０７は基準信号を分周し、所定のフレーム周波数の同期信号を発生し、サーボ回路１０８に供給する。また、時間情報発生回路１０７は設定に従い、所定の分周比で基準信号の分周を行い、時間情報として出力する。例えば下位１８ビットとして２２５２２５周期のカウント値と、上位８ビットのカウント値を出力する。
【００９１】
サーボ回路１０８は、上記同期信号に同期するように回転磁気ヘッド１０９の回転速度・位相およびキャプスタン１１５の走行位相を調整し、磁気テープ１１６上の所定の記録トラックを回転磁気ヘッド１０９が走査するように制御を行う。
【００９２】
回転磁気ヘッド１０９により再生された信号が、再生信号処理回路１１４の入力端子２２０１に入力され、再生回路２２０２に入力される。再生回路２２０２では、同期信号の検出等を行い、再生信号中のデータを検出して記憶回路２２０６に記憶する。その後に、誤り訂正回路２２０５で誤り訂正を行う。
【００９３】
データ制御回路２２０４は、記憶回路２２０６に記憶されている各パケットのデータに含まれる時間情報と２２０３を通して時間情報発生回路１０７から入力される時間情報とを比較し、一致した時点でそのパケットのデータを出力する。この処理により、記録時のデータパケット入力タイミングと同じタイミングでデータが出力される。再生された信号のトラック番号と時間情報発生回路１０７の発生した上位８ビットのトラック位置情報が信号処理の遅れによりずれることがあるので、その場合は２６ビットの時間情報のうち、トラック番号にあたる上位７ビットを除いた下位１９ビットのみを比較して出力タイミングを決定すればよい。また、トラックのずれを補正するようにして比較を行ってもよい。以上のような処理により、パケットデータを所定のタイミングに合わせて出力端子２２０７から時間情報変換回路１１２に出力する。なお、データパケットの出力タイミングを合わせることは必ずしも必須ではなく、また再生処理回路１１３で行わずに出力回路１１１で行うことも可能である。
【００９４】
出力端子２２０７よりの出力は、再生されたブロック情報３３や誤り訂正時に付加されたフラグ等を識別し、誤りなく再生され、かつ、有効なパケットのみを出力し、訂正不能となったパケットなどは出力しない。これにより、異常なデータが出力されることを防止することができる。
【００９５】
図２８は、再生時の記憶回路２２０６の再生データの記憶、誤り訂正及びデータ出力のタイミングである。なお、ここでは、それぞれの処理は６トラック単位で表している。誤り訂正処理されたデータは、処理が終了してから１トラック分の時間が経過してから出力を開始する。これにより、図２８のように、隣接して入力されたパケットが前詰処理により異なるトラックの先頭に記録された場合にも再生時に記録時と同一の間隔で出力することができる。さらに、図１５のように、未使用領域が識別できるような情報を記録しておけば、再生時にその情報を検出した場合には、トラックの全てのデータをチェックすることなしに次のトラックのデータを出力するようにできるので、処理を容易にすることができる。もちろん、１トラック以上経過してから出力してもよい。待つ時間が長いほうがいろいろな記録パターンに対応できるが、記憶回路２２０６の容量を大きくする必要がある。
【００９６】
再生処理回路１１３から出力されたパケットデータは、入力端子２３０２に入力される。
【００９７】
一方、基準信号入力端子２３０１には発振回路で発生した基準信号が入力される。時間情報発生回路２３０３は、該基準信号を元に時間情報を発生する。該時間情報発生回路２３０３は、入力端子に入力されるパケットデータとは独立に時間情報を発生している。また、時間情報の形式は、本発明の再生装置の出力に接続される機器に対応した形式のものであり、記録媒体から再生されるパケットデータに付加されているものと同じである必要はない。
【００９８】
制御回路２３０５は、該パケットデータ中の時間情報の含まれている位置で切換回路２３０４を切り換え、該パケットデータ中の時間情報を、時間情報発生回路２３０３の発生した時間情報に置き換える。
【００９９】
該入力端子に入力されるパケットデータは、再生処理回路１１３によって記録時に入力されたのと同じタイミングで送られてくるので、そのタイミングに合わせた時間情報を付加することで記録時の時間情報を再現することができる。
【０１００】
出力回路１１１では、時間情報が変換されたパケットデータを発振回路２４０４で発振されたクロックに同期して出力する。入力端子２４０１より入力されたパケットは、バッファ２４０２に、例えば２７Ｍｂｐｓ（３．３７５Ｍｂｙｔｅ／ｓｅｃ）で記憶される。発振回路２４０４で発生したクロックにより、バッファ２４０２からパケットを、例えば４９．１５２Ｍｂｐｓで読み出して図２８のタイミング、すなわち、記録データの入力された時のタイミングと同一のタイミングで出力する。これにより、ディジタル圧縮映像信号の復号装置や他のディジタル信号記録再生装置等の再生されたパケットを受け取って処理する装置では、記録する前の信号をそのまま処理する場合と同一の処理で記録再生後の信号を処理することができる。
【０１０１】
図３６は時間情報変換回路の他の一実施例を示すブロック図である。３６０１は再生処理回路から出力されたデータが入力されるデータ入力端子、３６０２は入力されたデータから時間情報を検出する時間情報検出回路、３６０３は時間情報を記憶する記憶回路、３６０４は時間情報検出回路３６０２で検出された時間情報から記憶回路３６０３に記憶されている時間情報を引き算する引き算回路、３６０５は時間情報検出回路３６０２で検出された時間情報と記憶回路３６０３に記憶されている時間情報とを比較する比較回路、３６０６は引き算回路３６０４の計算結果に２２５２２５を加算する加算回路、３６０７は比較回路の比較結果に応じて引き算回路３６０４の計算結果と加算回路３６０６の計算結果とを切り替える切り替え器、３６０８は加算回路３６０９の計算結果を記憶する記憶回路、３６０９は切り替え器３６０７の出力と記憶回路３６０８の記憶内容とを加算する加算回路、３６１０は入力データを遅延させる遅延回路、３６１１は遅延回路３６１０の出力と記憶回路３６０８の出力とを切り替える切り替え器、３６１２は切り替え器３６１１を制御する制御回路、３６１３は切り替え器３６１１の出力を出力する出力端子である。
【０１０２】
再生処理回路１１３から出力されたパケットデータは、時間情報変換回路１１２内の入力端子３６０１に入力される。時間情報検出回路３６０２は該パケット内のデータから時間情報を検出する。検出したデータは記憶回路３６０３、引き算回路３６０４、比較回路３６０５に入力される。記憶回路３６０３は一つ前のパケットの時間情報を記憶している。引き算回路３６０４は検出した時間情報から記憶回路３６０３が記憶している一つ前のパケットの時間情報を引き、その差分を出力する。磁気テープ１１７上に記録した時間情報と記録時に入力されたディジタル映像信号に付加されている時間情報は同じ周波数の基準信号を元に作られているので、増加量は同じである。ただし、ディジタル映像信号に付加されている時間情報は例えば２０ビットのカウンタを用いて作られたものであるのに対し、本実施例では磁気テープ１１７に記録されているパケットの時間情報は、時間情報発生回路１０７で発生した回転磁気ヘッドの回転に同期したものであった。そのため該時間情報はフレーム周波数が２９．９７Ｈｚの放送形式では２２５２２５でリセットされ不連続となるので、これをディジタル放送受信装置に対応した所定の時間情報に変換する必要がある。
【０１０３】
比較回路は、時間情報検出回路３６０２により検出された時間情報と、記憶回路３６０３に記憶されている一つ前のパケットの時間情報を比較する。時間情報検出回路３６０２により検出された時間情報が記憶回路３６０３に記憶されている一つ前のパケットの時間情報よりも小さい場合には、２２５２２５周期のカウンタがリセットされたことが分かるので２２５２２５を加算し、補正を行う。具体的には、比較回路３６０５の出力で時間情報検出回路３６０２により検出された時間情報が記憶回路３６０３に記憶されている一つ前のパケットの時間情報よりも小さい場合には、切り替え器３６０７を切り替え、上記引き算回路３６０４の出力に加算器３６０７で２２５２２５を加えたものを差分として加算回路３６０９に与え、それ以外では上記引き算回路３６０４の出力をそのまま加算回路３６０９に与える。
【０１０４】
加算回路３６０９は記憶回路３６０８の記憶内容に切り替え器３６０６の出力を加算し、時間情報を計算する。記憶回路は加算器３６０９の計算結果を新たに記憶するとともに、切り替え器３６１１に時間情報を出力する。記憶回路３６０８は記録時に入力されたディジタル映像信号のパケットに付加されていた時間情報と同等な２０ビットのものである。これにより、入力されたディジタル映像信号に付加されていたのと同じ２０ビットの連続した時間情報を発生することができる。なお、フレーム周波数の異なる放送形式に対応したディジタル映像記録再生装置に使用される場合でも、同様な演算を行うことにより連続した時間情報を再現することができる。
【０１０５】
遅延回路３６１０は入力端子３６０１に入力された信号を、時間情報の計算にかかる時間だけ遅延させる。制御回路３６１２は、計算された新しい時間情報と、遅延されたデータパケットとを切り替える切り替え器３６１１を制御する。制御回路３６１２は、遅延されたデータパケットのうち、時間情報が記録されているデータの部分で切り替え回路３６１１をｂ側に切り替え、その他の部分ではａ側に切り替える。これにより遅延されたデータパケットのうち、時間情報が記録されている部分のみが新しく計算された時間情報に置き換わる。この時間情報を置き換えたデータパケットは、出力端子３６１３を通して出力回路１１１に出力される。
【０１０６】
以上の記録・再生における時間情報の変換の様子は図３４のようにまとめることができる。
【０１０７】
図３４中、３４０１は入力されたパケットデータにあらかじめ付加された時間情報、３４０２はパケットデータ、３４０３は記録のために時間情報付加回路１０４で置き換えた時間情報、３４０４は磁気テープ上のトラックパターン、３４０５は再生された時間情報、３４０６は出力のために時間情報変換回路１１２で置き換えた時間情報である。
【０１０８】
記録時には、入力されたパケットデータにあらかじめ付加されている時間情報３４０１は時間情報付加回路１０４により記録に適した時間情報３４０３に置き換えられる。
【０１０９】
該時間情報３４０３の付加されたデータパケット３４０２は、磁気テープに記録され、テープ上のトラックに３４０４のごとく配置される。該磁気テープ上のトラックパターンは必要に応じて再生され、時間情報３４０５およびデータパケット３４０２として、記録されている時間情報に対応したタイミングで出力される。再生された時間情報３４０５は、時間情報変換回路によって形式が変換され、３４０６としてデータパケット３４０２とともに出力される。
【０１１０】
なお、上記実施例では、入力されるディジタル信号に時間情報があらかじめ付加されているものとして説明したが、時間情報が含まれていない場合もある。入力されたディジタル映像信号にあらかじめ時間情報が付加されていない場合には、基準信号発生回路は、該ディジタル映像信号の伝送クロックやデータの変化点などを検出して、入力されたディジタル信号から基準となる信号を発生すればよい。これはデータ伝送技術においては基本的な技術であり、既知の技術である。
【０１１１】
さらに、パケットデータには時間情報を付加しないで出力する必要がある場合には、切換回路で時間情報の部分のデータを取り除いて出力するように構成すればよい。
【０１１２】
この場合の時間情報の変換の様子は図３５のようになる。
【０１１３】
図３５中の各符号は図３４と同様のものである。
【０１１４】
入力されたパケットデータ３４０２には時間情報が付加されていない。これに、時間情報付加回路１０４が時間情報３４０３を付加し、パケットデータとともに磁気テープ上に記録する。磁気テープ上のトラックパターンは３４０４のようになる。
【０１１５】
再生時には再生されたデータにはパケットデータとともに時間情報３４０５が付加された形で再生されるので、この時間情報を元に出力タイミングを決定すればよい。
【０１１６】
出力時には、時間情報変換回路１１２によって時間情報３４０５を取り除き、パケットデータのみを出力する。これにより時間情報があらかじめ付加されていないパケットが入力された場合でも、入力時の時間間隔でパケットデータを出力することができる。
【０１１７】
図３４に示した時間情報があらかじめ付加されているパケットを記録した場合の磁気テープ上のトラックパターンと、図３５に示した時間情報が付加されていないパケットを記録した場合の磁気テープ上のトラックパターンは同じになるので、双方の磁気テープに互換性を持たせることができる。
【０１１８】
上記実施例では、ディジタル信号記録装置に接続されるディジタル放送受信装置は一種類のみであったが、これは複数接続されていてもよい。
【０１１９】
例えば、図２９に示したディジタル映像信号再生装置のように、複数の出力端子を設けることで複数のディジタル放送受信装置に対応させることができる。
【０１２０】
図２９中、１１１ａおよび１１１ｂは出力回路、１１２ａおよび１１２ｂは時間情報を変換する時間情報変換回路、１１４ａおよび１１４ｂは出力端子、その他の符号は図１と同等である。
【０１２１】
該ディジタル映像信号再生装置では、ディジタル放送受信装置に応じて出力端子１１４ａおよび１１４ｂが設けられている。出力端子１１４ａおよび１１４ｂにはそれぞれ異なったディジタル放送受信装置を接続される。
【０１２２】
再生時には、時間情報変換回路１１２ａおよび１１２ｂが磁気テープより再生されたデータの時間情報をそれぞれ異なった時間情報の形式に変換し、出力回路１１１ａおよび１１１ｂを通して出力端子１１４ａおよび１１４ｂに出力される。一つの磁気テープより出力されたデータがそれぞれ異なった時間情報を持つデータとしてそれぞれの端子から出力されるので、複数のディジタル放送受信装置で再生処理を行うことができる。利用者は必要に応じてどちらかのディジタル放送受信装置を利用してテープ内容を視聴することができる。
【０１２３】
図３０は複数の時間情報変換回路を有する再生装置のブロック図である。
【０１２４】
図３０中、１０２は出力端子１１４に接続されているディジタル放送受信装置の種類を判別する制御回路、１１２ａおよび１１２ｂはそれぞれ異なった形式の時間情報に変換する時間情報変換回路であり、１１７は時間情報変換回路の出力を選択する選択回路、その他の符号は図１と同様である。
【０１２５】
再生時には制御回路１０２は出力端子１１４に接続されているディジタル放送受信装置の種類を判別する。具体的には出力端子１１４に所定のデータを出力して通信を行い、制御手段１０２でその通信に対する応答を調べていくことによりディジタル放送受信装置の種類を判別することができる。制御回路は判別したディジタル放送受信装置の種類に応じた形式の時間情報を発生する時間情報変換回路１１２ａまたは１１２ｂを選択するように切換回路１１７を設定する。時間情報変換回路を複数用意すれば、複数のディジタル放送受信装置に対応することができる。
【０１２６】
図３２は、複数の形式の時間情報を発生することのできる時間情報変換回路を用いた再生装置のブロック図である。
【０１２７】
図３２中、１０２は制御回路、１１２は制御回路１０２により時間情報の形式を変更可能な時間情報変換回路であり、その他の符号は図１と同様である。
【０１２８】
再生時には制御回路１０２は出力端子１１４に接続されているディジタル放送受信装置の種類を判別する。該時間情報変換回路の具体的な動作は図３０の再生装置と同様である。制御回路は判別したディジタル放送受信装置の種類に応じた形式の時間情報を発生するように時間情報変換回路１１２の設定を行う。具体的には、基準クロックの周波数、時間情報のビット数、最大周期などを設定できるようにしておけばよい。これにより、複数の時間情報変換回路を設けることなく、様々なディジタル放送受信装置に対応することが可能である。
【０１２９】
また、基準信号発生回路１０３も制御回路１０２で制御できるように構成することで、入出力ともに複数のディジタル放送受信装置に対応させることができる。
【０１３０】
また、出力端子だけでなく、複数の入力端子を設け各々に基準信号発生回路を設けることで、それぞれ異なった時間情報のフォーマットをもつ信号を入力し、記録することも可能である。
【０１３１】
図３１は、図１のディジタル信号記録再生装置とディジタル放送受信装置との接続の例である。３１０１はディジタル放送受信装置、３１０２はアンテナ、３１０３はチューナ、３１０４は選択回路、３１０５は復号回路、３１０６はインターフェース回路、３１０７は受像機、３１０８は図１のディジタル信号記録装置である。
【０１３２】
アンテナ３１０２で受信されたディジタル放送信号は、チューナ３１０３で復調された後に、選択回路３１０４で必要なディジタル圧縮映像信号を選択する。選択されたディジタル圧縮映像信号は、復号回路３１０５で通常の映像信号に復号されて受像機３１０７に出力される。また、受信信号にスクランブル等の処理が行われているときは、復号回路３１０５においてそれを解除した後に復号処理を行う。
【０１３３】
復号回路３１０５は、通常の受信時には、受信した信号より、ディジタル圧縮信号を復調し、このディジタル圧縮信号をデコーダにより通常の映像信号および音声信号にデコードしてテレビ等に出力する。このディジタル圧縮信号は、通常パケット形式で伝送される。パケットの伝送レートは、放送の内容によって変化する。また、パケットの伝送間隔もエンコード時の処理に応じて変化する。デコーダでは、このパケット形式のデータの中に含まれている情報及びパケットの送られてきた間隔よりエンコード時のフレーム周波数を再生して映像信号のデコードを行う。
【０１３４】
ディジタル信号記録再生装置３１０８に記録を行う時には、インターフェース回路３１０６において、パケット形式のディジタル圧縮信号にパケットの伝送間隔を示す時間情報を付加し、図１６の形式に変換して出力する。そして、入力端子１００よりディジタル信号記録装置３１０８に入力され、記録される。なお、時間情報が付加されないで伝送された場合には、記録再生装置３１０８内の時間情報付加回路１０４で時間情報を付加して記録すればよい。
【０１３５】
また、ディジタル信号記録再生装置３１０８で再生されたディジタル圧縮映像信号等は、時間情報を用いて記録時と同一の間隔で出力端子１１４よりインターフェース回路３１０６に出力する。インターフェース回路３１０６では、入力された信号より、通常の受信時と同様の処理を行って、受像機３１０７に出力する。そして、映像信号及び音声信号のデコードを行ってテレビ等に出力する。
【０１３６】
また、実施例では入力と出力を独立した端子を用いて行っているが、入力と出力を兼用した端子を用いて行ってもよい。
【０１３７】
以上、磁気テープ上に回転磁気ヘッドを用いて記録再生を行う磁気記録再生装置に本発明を適用した例をあげて説明した。本発明は磁気記録再生装置に限らず、例えば光磁気ディスクのようなディスク上にディジタル信号を記録し再生する装置に対しても適用できる。また、半導体メモリのように駆動部を持たない記録媒体を用いても適用可能なのはいうまでもなく、いかなる記録媒体を用いても実現可能である。
【０１３８】
本実施例では、入力されるディジタル映像信号に付加されている時間情報を２０ビットの連続した時間情報とし、記録する時間情報を回転磁気ヘッドの回転に同期した不連続な２６ビットのものとした。しかし、これらは任意のビット長および周波数の時間情報で実現可能であることはいうまでもない。また、時間情報発生回路や時間情報付加回路を複数用意して、必要に応じて切り替えることにより、複数の時間情報の記録に対応したディジタル信号記録再生装置を構成することができる。この場合、磁気テープ上の付加情報領域などに、付加した時間情報に関する識別信号を記録しておき、再生時に該識別信号に応じて時間情報発生回路を制御することで、複数の時間情報付加形式に対応することができる。
【０１３９】
【発明の効果】
本発明にかかるディジタル信号記録装置は、時間情報発生手段によって発生した時間情報を入力されたディジタル映像信号にあらかじめ付加されていた時間情報の代わりに付加する時間情報付加手段を備えており、入力されるディジタル映像信号に付加されている時間情報形式に関らず共通の時間情報に変換して記録できるので、記録媒体に記録されるディジタル映像信号の記録フォーマットを共通にすることができる。これにより記録媒体上の記録フォーマットの互換性を高めることができる。
【０１４０】
また、本発明にかかるディジタル信号再生装置は、記録媒体から再生されたディジタル映像信号に付加されている時間情報を所定の時間情報に変換する時間情報変換手段とを備えているので、再生信号を接続されるディジタル放送受信装置に対応した時間情報に変換して出力することにより任意のディジタル放送受信装置に接続して再生することができる。
【０１４１】
また、記録媒体の時間情報形式かかわらず所定の時間情報のフォーマットに変換して出力できるので、複数の時間情報形式のフォーマットで記録された記録媒体を一つのディジタル放送受信装置で再生することができる。
【図面の簡単な説明】
【図１】ディジタル信号記録再生装置の構成図である。
【図２】１トラックの記録パターン図である。
【図３】各領域のブロック構成図である。
【図４】ＩＤ情報２１の構成図である。
【図５】データ記録領域７における１トラックのデータの構成図である。
【図６】データ記録領域７のヘッダ４４の構成図である。
【図７】フォーマット情報３１の構成図である。
【図８】可変速再生用データの記録例を示す図である。
【図９】付加情報３２の構成の構成図である。
【図１０】１８８バイトのパケット形式で伝送されたディジタル圧縮映像信号をデータ記録領域４１に記録する時のブロックの構成図である。
【図１１】パケット７１の長さを１４０バイトとした時のブロックの構成図である。
【図１２】パケット７１の長さを１４０バイトとした時のブロックの他の構成図である。
【図１３】図１０、図１１または図１２のパケットの他の構成図である。
【図１４】ブロック情報３３の構成図である。
【図１５】ブロック情報３３の記録例を示す図である。
【図１６】ブロック情報３３の他の記録例を示す図である。
【図１７】入力回路１０１の構成図である。
【図１８】基準信号発生回路１０３の構成図である。
【図１９】時間情報発生回路１０７の構成図である。
【図２０】入力ディジタル映像信号に付加されている時間情報と時間情報発生回路１０７の発生する時間情報の関係を示す図である。
【図２１】記録信号処理回路３０１の構成図である。
【図２２】再生信号処理回路１１３の構成図である。
【図２３】時間情報変換回路１１２の構成図である。
【図２４】出力回路１１１の構成図である。
【図２５】入出力信号のタイミング図である。
【図２６】バッファ３０９の入出力のタイミング図である。
【図２７】再生時の記憶回路２１０６の再生データの記憶、誤り訂正及びデータ出力のタイミング図である。
【図２８】記録再生タイミングの一例を示す図である。
【図２９】ディジタル信号再生装置の構成図である。
【図３０】ディジタル信号再生装置の他の構成図である。
【図３１】図１のディジタル信号記録再生装置とディジタル放送受信装置との接続図である。
【図３２】ディジタル信号再生装置の他の構成図である。
【図３３】時間情報付加回路１０４の構成図である。
【図３４】時間情報を置き換えて記録し、再生時に時間情報を復元する場合の時間情報の関係を示す図である。
【図３５】時間情報を付加して記録し、再生時に時間情報を除去する場合の時間情報の関係を示す図である。
【図３６】時間情報変換回路１１２の他の構成図である。
【図３７】複数の基準信号発生回路を設けたディジタル信号記録装置の構成図である。
【図３８】複数の時間情報発生回路を設けたディジタル信号記録装置の構成図である。
【図３９】制御可能な基準信号発生回路および時間情報発生回路を設けたディジタル信号記録装置の構成図である。
【符号の説明】
７…データ記録領域、２０…同期信号、２１…ＩＤ情報、２２…データ、２３…Ｃ１パリティ、２５…時間情報、３１…フォーマット情報、３２…付加情報、３３…ブロック情報、４１…映像信号データ、４３…Ｃ２パリティ、４４…ヘッダ、５０…可変速データ、５１…通常のパケットデータ、５２…可変速再生用データを記録したブロック、５３…未使用領域、７１…パケット、７２…制御情報、７４…データ情報、７５…ブロック情報、１００…入力端子、１０１…入力回路、１０２…制御回路、１０３…基準信号発生回路、１０４…時間情報付加回路、１０５…記録処理回路、１０６…切り替え回路、１０７…時間情報発生回路、１０８…サーボ回路、１０９…回転磁気ヘッド、１１０…発振回路、１１１…出力回路、１１２…時間情報変換回路、１１３…再生処理回路、１７０１…パケット検出回路、１７０２…バッファ、１８０２…時間情報検出回路、１８０３…比較回路、１８０４…カウンタ、１８０５…電圧制御発振器、１９０２…カウンタ、１９０３…カウンタ、２１０２…記憶回路、２１０３…誤り訂正符号付加回路、２１０４…データ制御回路、２１０６…記録回路、２２０２…再生回路、２２０４…データ制御回路、２２０５…誤り訂正回路、２２０６…記憶回路、２３０３…時間情報発生回路、２３０４…切換回路、２３０５…制御回路、２４０２…バッファ、２４０３…読み出し制御回路、２４０４…発振回路、３１０２…アンテナ、３１０３…チューナ、３１０４…選択回路、３１０５…復号回路、３１０６…インターフェース回路、３１０７…受像機、３１０８…ディジタル信号記録再生装置、３３０３…切換回路、３３０４…制御回路、３４０１…入力信号に付加されていた時間情報、３４０２…パケットデータ、３４０３…変換された時間情報、３４０４…トラックパターン、３４０６…再生された時間情報、３４０７…復元された時間情報、３６０２…時間情報検出回路、３６０４…引き算回路、３６０５…比較回路、３６０６…切り替え回路、３６０７…加算回路、３６０８…記憶回路、３６０９…加算回路、３６１０…遅延回路、３６１１…切り替え回路、３６１２…制御回路、３６０２…バッファ、３６０３…読み出し制御回路、３６０５…発振回路。
【図１】
0003632352.tif 000002
【図２】
0003632352.tif 000003
【図３】
0003632352.tif 000004
【図４】
0003632352.tif 000005
【図５】
0003632352.tif 000006
【図６】
0003632352.tif 000007
【図７】
0003632352.tif 000008
【図８】
0003632352.tif 000009
【図９】
0003632352.tif 000010
【図１０】
0003632352.tif 000011
【図１１】
0003632352.tif 000012
【図１２】
0003632352.tif 000013
【図１３】
0003632352.tif 000014
【図１４】
0003632352.tif 000015
【図１５】
0003632352.tif 000016
【図１６】
0003632352.tif 000017
【図１７】
0003632352.tif 000018
【図１８】
0003632352.tif 000019
【図１９】
0003632352.tif 000020
【図２０】
0003632352.tif 000021
【図２１】
0003632352.tif 000022
【図２２】
0003632352.tif 000023
【図２３】
0003632352.tif 000024
【図２４】
0003632352.tif 000025
【図２５】
0003632352.tif 000026
【図２６】
0003632352.tif 000027
【図２７】
0003632352.tif 000028
【図２８】
0003632352.tif 000029
【図２９】
0003632352.tif 000030
【図３０】
0003632352.tif 000031
【図３１】
0003632352.tif 000032
【図３２】
0003632352.tif 000033
【図３３】
0003632352.tif 000034
【図３４】
0003632352.tif 000035
【図３５】
0003632352.tif 000036
【図３６】
0003632352.tif 000037
【図３７】
0003632352.tif 000038
【図３８】
0003632352.tif 000039
【図３９】
0003632352.tif 000040